(57)【特許請求の範囲】
【請求項１】
生地として通気性に優れたメッシュ状素材からなるチョッキ型着用体と、このチョッキ型着用体の裏面側に着脱可能に取り付けられる防護部材とで構成されるサポーターであって、前記着用体の内面側に一方の着脱手段を設け、この着脱手段と係合する他方の着脱手段を前記防護部材の外面側に設け、これら各着脱手段によって装着される前記防護部材が前記着用体の裏面側に露出した状態で取り付けられ、前記防護部材は前記着用体の前面及び後面側に装着される前側防護部材と後側防護部材から成り、少なくとも前側防護部材には表裏面に貫通する通気口を設けるとともに、この通気口を表面側から裏面側に向って拡大形成し、前記前側防護部材が前記着脱手段によって前記着用体に対して上下位置調整可能に設けられ、前記防護部材が中空構造のシェルによって構成され、前記着用体が、前身頃と後身頃を肩当て部で連結して構成され、この前身頃と後身頃の両側下部を連結する着脱自在な連結バンドを設け、連結バンドに伸縮性を備えた伸縮材を添設し、この伸縮材によって前記連結バンドに弛み部を形成することによって前記連結バンドに伸縮性を持たせ、前記着用体の前面下部に着用者のベルトなどに通して固定する装着用バンドを設け、この装着用バンドは合成樹脂製の繊維を織った帯であって可撓性を有しており、その基端側を前記前身頃に設けた合成樹脂製の繊維を織った帯であって可撓性を有している基布に重ね合わせて縫着し、その重ね合わせた前記基布と前記装着用バンドの基端に前記一方の着脱手段を貫通させて加締め固定したことを特徴とするサポーター。
【発明の詳細な説明】
【０００１】
【産業上の利用分野】
本発明は、着用体にシェルなどの防護部材を設けたサポーターに関する。
【０００２】
【発明が解決しようとする課題】
従来、この種のサポーターとして種々の構造のものが提案されており、例えば、特開平１０−５３９０６号公報には、通気性に優れたメッシュ素材から成る前身頃と後身頃を比較的細い紐状の肩バンドで連結して着用体を構成するとともに、その着用体の前身頃と後身頃にそれぞれ中空状の前側シェルと後側シェルを取り付けたサポーターが開示されている。また、特開２０００−３３６０５７号公報には、メッシュ素材から成る前身頃と後身頃を肩当て部で一体的に連結してチョッキ型の着用体を形成するとともに、そのチョッキ型着用体の前身頃と後身頃の裏面側に立体メッシュから成る袋体を着脱自在に取り付け、この袋体内に中空状の前側シェルと後側シェルを配置するように構成したサポーターが開示されている。
【０００３】
これらのサポーターは、着用体の素材として通気性に優れたメッシュ素材が使用することで優れた通気性が得られる。しかし、特開平１０−５３９０６号公報で提案されるサポーターは、前後に分離された前身頃と後身頃を肩バンドで連結して着用体を構成しているため、装着時において、着用体の重量が巾の狭い肩バンドに加わり、肩バンドが肩に食い込むなどして着用感が損なわれることが予想される。
【０００４】
この点に関し、特開２０００−３３６０５７号公報に提案されるサポーターは、前身頃と後身頃を比較的幅広な肩当て部で一体的に連結してチョッキ型の着用体としているため、装着時において、巾の狭い肩バンドを用いるサポーターのように、肩バンドが肩に食い込んで着用感が損なわれるといった懸念は無い。しかし、このサポーターは、着用体にシェルを収容する袋体を着脱自在に設け、この袋体によってシェルを取り付けるようにしており、また、シェルを取り付ける袋体もクッション性を有する立体メッシュで形成することから、サポーターを着用した際、袋体の部分に熱が篭り易い。すなわち、袋体は素材としてメッシュ状に形成することによって通気性を有しているものの、着用時においては、着用体の裏面に取り付ける袋体は、着用者が着用する着衣に密着することから、着用体のメッシュ部分とシェルの通気口から外気が導入し得るように構成しているものの、通気口から袋体に導入された外気が袋体を通って抜けにくくなる。一方で袋体はクッション性を付与するために、表裏のメッシュ材の間に複数の繊維を連結した立体的なメッシュによって構成され、袋体内の空気が抜けにくいことから、袋体によって空気断熱層が形成されることになる。このため、特に夏場での着用に際し、熱が篭って着用感が損なわれることが懸念される。
【０００５】
そこで、本発明は、着用体の内側に熱が篭りにくい構造として、夏場での着用に際し、着用感に優れたサポーターを提供することを目的とする。
【０００６】
【課題を解決するための手段】
本発明の請求項１のサポーターは、生地として通気性に優れたメッシュ状素材からなるチョッキ型着用体と、このチョッキ型着用体の裏面側に着脱可能に取り付けられる防護部材とで構成されるサポーターであって、前記着用体の内面側に一方の着脱手段を設け、この着脱手段と係合する他方の着脱手段を前記防護部材の外面側に設け、これら各着脱手段によって装着される前記防護部材が前記着用体の裏面側に露出した状態で取り付けられ、前記防護部材は前記着用体の前面及び後面側に装着される前側防護部材と後側防護部材から成り、少なくとも前側防護部材には表裏面に貫通する通気口を設けるとともに、この通気口を表面側から裏面側に向って拡大形成し、前記前側防護部材が前記着脱手段によって前記着用体に対して上下位置調整可能に設けられ、前記防護部材が中空構造のシェルによって構成され、前記着用体が、前身頃と後身頃を肩当て部で連結して構成され、この前身頃と後身頃の両側下部を連結する着脱自在な連結バンドを設け、連結バンドに伸縮性を備えた伸縮材を添設し、この伸縮材によって前記連結バンドに弛み部を形成することによって前記連結バンドに伸縮性を持たせ、前記着用体の前面下部に着用者のベルトなどに通して固定する装着用バンドを設け、この装着用バンドは合成樹脂製の繊維を織った帯であって可撓性を有しており、その基端側を前記前身頃に設けた合成樹脂製の繊維を織った帯であって可撓性を有している基布に重ね合わせて縫着し、その重ね合わせた前記基布と前記装着用バンドの基端に前記一方の着脱手段を貫通させて加締め固定したものである。
【０００７】
メッシュ生地によって構成された着用体は通気性に優れ、かつ防護部材が直接、装着者の着衣に接触するから、装着者との間に熱が篭るような空気層が形成されない。これにより、着用体の内部において熱が篭りにくく、特に夏場などにおいて、熱による不快感を軽減することができる。しかも、通常、防護部材の温度は着用者の体温より低いから、着用時において、着衣を通して体温より低い防護部材の熱が着用者に伝わって良好な清涼感が得られる。また、着用体のメッシュ部分から通気口に導入された外気を効率的に着用者に向けて通気させることができ、着用体の内部に熱が篭りにくくなる。また、着用者の体形に合わせて正しい位置で前側防護部材を身に付けることができる。また、中空構造のシェルによって着用体の軽量化が図られるとともに、シェルへの衝撃に対する緩衝作用が向上する。また、着用体の着用時において、肩当て部が肩に食い込むような感じがなく、楽に着用できるとともに、前身頃と後身頃とが前後に分かれているため、着用時にサポーターを被るようにして簡単に着用することができる。さらに、着用後、連結バンドで前身頃と後身頃とを連結することで、着用体の横方向のずれが抑制される。また、弛み部が伸び切る範囲内でゴムバンドが伸縮するため、脇腹等が連結バンドにより圧迫されずに優れたフィット感が得られるとともに、連結バンドには常に伸縮材による緊張力が作用するため、サポーターのずれが確実に抑制される。また、装着用バンドを着用者のベルトなどに通すことで着用体の上下方向のずれが抑制される。
【０００８】
【発明の実施形態】
以下、本発明の実施例を添付の図面を参照して説明すると、図１ないし図７は本発明の一実施例を示し、同図に示すように、本発明のサポーター１は、チョッキ型の着用体２を備えている。この着用体２は、通気性を有するメッシュ状の生地３からなり、前身頃４と後身頃５の上部左右を比較的幅広な左右の肩当て部６Ｌ，６Ｒにより連結して構成している。これら左右の肩当て部６Ｌ，６Ｒの中央に襟部７を設け、この前身頃４の中央に位置する襟部７の下部から下方に連続して開閉部８を設け、この開閉部８により、前身頃４が左前部分４Ｌと右前部分４Ｒとに分かれている。さらに、前身頃４と後身頃５は前後に分かれ、これら前身頃４と後身頃５との両側の間が腕通し部９，９となる。そして、前記メッシュ生地３の縁は、前記襟部７から開閉部８の両側縁に連続し、さらに、前身頃４と後身頃５の両側縁から下端縁に連続して二つ折りした縁帯11により挟んで縫着される。また、前記開閉部８には、スライドファスナー12が設けられている。
【０００９】
前記着用体２の前身頃４と後身頃５の裏面側には、それぞれ防護部材として中空状の前側シェル15と後側シェル16が着脱可能に取り付けられている。この前側シェル15と後側シェル16は共に中空構造であるが、前側シェル15は、着用者の胸部中央と上腹部を覆う一体形状であるのに対して後側シェル16は、５つに分割した構成され、その各後側シェル16が上下に隣接して平行に装着されている。
【００１０】
前側シェル15は図４に示すように、その左右幅より高さ寸法が大きく形成されていると共に、表面側が凸になるように左右方向に緩やかな彎曲状に形成されている。また、図５に示すように、前記前側シェル15の左右一対のほぼ平行した段部17，17により、表面側に隆起する隆起部18を縦方向に形成されている。この隆起部18によって前側シェル15内には、表裏方向に幅大な中央空洞部15Ａが形成され、この中央空洞部15Ａから左右外側に向って前側シェル15の厚さは次第に薄くなっており、また、該前側シェル15の全周囲には彎曲縁部19が形成されている。また、前側シェル15の左右には長孔状の通気口20，20が左右対称に設けられ、かつ左右対称な通気口20，20が上下に等間隔で形成され、それら上下の通気口20，20の間に横方向の筒部21が形成され、この筒部21内に横方向の空洞部21Ａが形成されている。それら通気口20は、裏面側に向って拡大形成されている。そして、前記前側シェル15の成型には、熱可塑性樹脂を成型材料としたブロー成型法が用いられ、成型時、前側シェル15の下部中央位置22に成型機（図示せず）のニードルを突き刺し、該ニードルから空気を吹き込んで成型される。この前側シェル15のほぼ四隅には、着脱手段としての雄ホック25が固定されている。
【００１１】
各後側シェル16は図６に示すように、それぞれ短冊状に形成された中空構造であり、その表面側中央には、左右一対のほぼ平行な段部26，26により、表面側に隆起する隆起部27が形成されている。また、各後側シェル16の両側には、着脱手段として雄ホック28が固定され、この雄ホック28により、各後側シェル16は、後身頃５に僅かな間隔をおいて上下に隣接して装着され、これら各後側シェル16間の隙間が通気部30として機能する。なお、各後側シェル16も前記前側シェル15と同様に、成型には、ブロー成型法により成型するものであり、後側シェル16の下部中央位置から空気を吹き込んで成型する。
【００１２】
次ぎに、前記前側シェル15と後側シェル16の取付構造について説明する。前側シェル15と後側シェル16を装着する前身頃４と後身頃５には前側シェル15と後側シェル16に固定される雄ホック25,28を嵌め入れる着脱手段としての雌ホック35，36が固定されている。また、図４に示すように、前側シェル15の雄ホック25を嵌め入れる雌ホック35は、１つの雄ホック25に対して上下三組設けられており、その内の任意位置の雌ホック35に前側シェル15の雄ホック25を選択的に嵌め入れることにより、図４中、鎖線で示すように、前身頃４に装着する前側シェル15の上下位置を調節することができるようになっている。一方、後側シェル16は、その両側に設けた雄ホック28に対応して左右一対の雌ホック36が取り付けられている。このようにして各シェル15,16に固定した雄ホック25,28を前身頃４と後身頃５に取り付けた雌ホック35，36に係止させることによって各シェル15,16は前身頃４と後身頃５の裏面に直接、露出した状態で装着される。また、前身頃４と後身頃５に装着される縦方向に並んだ複数の雌ホック35，36がメッシュ状の生地３に縫着された左右一対の基布40,41に加締めなどの手段によって固定されている。これらの基布40，41は合成樹脂製の繊維を織った帯状であって可撓性を有している。
【００１３】
50は前後に分かれた前身頃４と後身頃５の両側下部を連結する連結バンドであり、基端を前記前身頃４の下側左右に取付けた前側連結バンド51と、基端を前記後身頃５の下側左右に取付けた後側連結バンド52と、それら前側及び後側連結バンド51，52の先端側に設けられた相互に着脱可能な雌型及び雄型連結具53，54とからなる。また、前側及び後側連結バンド51，52は、合成樹脂製の繊維を織った帯状であって可撓性を有している。そして、前側連結バンド51は基端側を前身頃４に設けた前記雌ホック35を固定する基布40に縫着しており、一方、後側連結バンド52は、前記メッシュ生地３の縁帯11に縫着されている。なお、前側及び後側連結バンド51，52は、これらの連結バンド51，52の先端側に取り付けた雌型及び雄型連結具53，54の着脱操作を着用体２の前側で操作し得るように、前側連結バンド51の長さは後側連結バンド52より遥かに短い。また、後側連結バンド52は着用者Ｓのサイズに応じて長さ調整が可能となるように、後側連結バンド52の先端を雄型連結具54のバンド挿通部55に通してから折り返し、その自由端となる後側連結バンド52の先端を後側連結バンド52にスライド自在に設けた止め具57に係止している。さらに、後側連結バンド52に伸縮性を付与するために、後側連結バンド52の基端内面側に後側連結バンド52より短い伸縮材としてのゴムバンド60が縫着されている。このようにゴムバンド60を縫着することにより、後側連結バンド52の基端に弛み部61を形成し、この弛み部61が伸び切る範囲内で後側連結バンド52は伸縮することが可能となる。
【００１４】
前記前身頃４の下側左右には、ずり上がりを防止するための左右一対の装着用バンド65が縦方向に設けられている。この装着用バンド65は合成樹脂製の繊維を織った帯であって可撓性を有しており、その基端側を前記前身頃４に設けた基布40に重ね合わせて縫着している。そして、その重ね合わせた基布40と装着用バンド65の基端に前記複数の雌ホック35を貫通させて加締め固定している。このようにして前身頃４に固定される前記装着用バンド65は、着用者Ｓの腰ベルトＴに通して表面側に折り返し、その装着用バンド65の先端及び前身頃４に固定された装着用バンド65の基端に設けた面ファスナー65Ａ，65Ｂによって止着する。
【００１５】
以上の構成につき本実施例のサポーター１の使用方法を主に図７を参照して説明する。サポーター１は前身頃４と後身頃５とが前後に分かれているため、着用時にサポーター１を被るようにして簡単に着用することができる。また、この着用体２は、肩当て部６Ｌ，６Ｒが比較的広いチョッキ型であるから、紐のようなものと異なり、肩当て部６Ｌ，６Ｒが肩に食い込むような感じがなく、楽に着用できる。このようにしてサポーター１を着用すると、前身頃４の裏面に装着する前側シェル15が着用者Ｓの着衣の前面に当ると共に、後側シェル16が着衣の背中に当たる。ここで前身頃４に装着する前側シェル15は、前側シェル15の四隅に固定された雄ホック25を前身頃４に固定された雌ホック35に嵌め入れて固定されるが、雌ホック35は、一つの雄ホック25に対して上下に三つの雌ホック35が並んで設けてられているため、前側シェル15を雌ホック35の間隔毎に上下高さを段階的に調整することができる。例えば、着用にあたっては、左右一方のホック25，35を止めた状態で着用し、左右他方のホック25，35を止め、スライドファスナー12を閉める。この場合、着用体２は前側中央で開閉し、着用者Ｓのほぼ胸の前でそのホック25，35を操作できるため、ホック25，35を比較的簡便に止め外しすることができる。このようにして、着用体２の雌ホック35と前側シェル15の雄ホック25との係止位置を調節することにより、前側シェル15の高さ位置を着用者Ｓの体形に合わせて簡単に調整することができる。そして、着用者ＳのベルトＴなどに、装着用バンド65を差し通して上側に折り返し、面ファスナー65Ａ，65Ｂを重ね合わせて係止する。次に、前後に分かれた前身頃４と後身頃５を連結バンド50によって連結する。すなわち、後側連結バンド52の先端に設けた雄型連結具54を、前側連結バンド51の雌型連結具53に連結した後、雄型連結具54のバンド挿通部55に通した後側連結バンド52の先端を引っ張って後側連結バンド52の長さを調節する。そして、バンド挿通部55から折り返して余った後側連結バンド52を後側連結バンド52に設けた止め具57に係止する。このようにして、連結バンド50と装着用バンド65を締めることによって着用者Ｓにサポーター１がフィットし、着用者Ｓが姿勢を変える等の動作を行っても、各バンド50,65によりサポーター１が上下あるいは左右にずれたりしない。しかも、連結バンド50の基部側にゴムバンド60を縫着して弛み部61を形成することで、弛み部61が伸び切る範囲内でゴムバンド60が伸縮するため、脇腹等が連結バンド50により圧迫されずに優れたフィット感が得られる。また、連結バンド50には常にゴムバンド60による緊張力が作用するため、サポーター１のずれなどを確実に抑えることができる。また、サポーター１は、中空なシェル15，16とメッシュ生地３を用いた着用体２からなるから、軽量なものとなり、動き易いとともに、中空構造のシェル15，16は衝撃などに対しての優れた緩衝作用が得られる。しかも、夏場等に着用しても、前側シェル15の通気口20及び各後側シェル16の間に形成される通気部30とメッシュ生地３とを通して通気が行われ、特に通気口20は裏面側に向ってその開口面積が大きくなるように形成されているから、メッシュ生地３が広い範囲で外部と連通する。さらに、前後の各シェル15，16は着用体２の前身��４と後身頃５の裏面側に直接露出した状態で装着されているため、従来例のようにシェルを立体メッシュ生地から成る袋体内に収容して取り付ける構造のサポーターに比べて着用体２の内部に熱が篭りにくくなる。すなわち、立体メッシュ生地で編成した袋体内にシェルを収容する場合、その袋体が着用者Ｓの着衣に直接密着することから、例え袋体を立体メッシュ生地で編成したとしても、立体メッシュ生地内の空気が外部に抜けにくくなる。このため、袋体によって空気断熱層が形成されることになり、着用体２の内部において熱が篭りやすくなる。しかし、本実施例では、前後の各15，16は着用体２の裏面側に直接露出した状態で装着されているから、各シェル15，16と着用者Ｓとの間に空気断熱層が形成されることはない。このため、特に夏場などにおいて、着用体２の内部において熱が篭るなどの不快感もない。しかも、通常、各シェル15，16の温度は着用者Ｓの体温より低いから、着着用体２の着用時において、着衣を通して各シェル15，16の熱が着用者Ｓに伝わるから、良好な清涼感が得られる。また、着用状態で、ファスナー12は前側シェル15に覆われるから、着用者Ｓの着衣に擦れることもない。
【００１６】
また、前後各シェル15,16は着用体２を洗濯する場合、簡単に取り外すことができる。このため、着用体２を乾かす際も、生地３に比べて重たいシェル15，16を取り外した状態で、吊るして乾かすことができるため、型崩れすることがなく、乾燥も早く済む。
【００１７】
以上のように本実施例のサポーター１は、肩当て部６Ｌ，６Ｒが比較的広いチョッキ型であるから、肩当て部６Ｌ，６Ｒが肩に食い込むような感じがなく、楽に着用できるとともに、着用体２の前身頃４と後身頃５とが前後に分かれているため、着用時にサポーター１を被るようにして簡単に着用することができる。また、チョッキ型着用体２の裏面側に前後各シェル15，16を着脱可能に設けたものであるから、着用体２から前後各シェル15，16を取り外し、着用体２を簡便に洗濯することができるとともに、前側シェル15は、前身頃４に対して上下位置調整可能に設けられているから、前側シェル15の高さ位置を着用者Ｓの体形に合わせて簡単に調整することができる。また、前後各シェル15，16は着用体２の前身頃４と後身頃５の裏面側に直接露出した状態で装着されているため、着用体２の内部に熱が篭りにくいとともに、着用時において、着衣を通して着用者Ｓの体温より低い各シェル15，16の熱が着用者Ｓに伝わるから、生地として通気性に優れたメッシュ状素材からなる着用体２と相俟って体感的に良好な清涼感が得られる。また、着用体２は、着用が容易な前後に分かれた前身頃４と後身頃５を採用しているが、着用後、前身頃４と後身頃５を連結する連結ベルト50と着用者ＳのベルトＴなどに通す装着用バンド65を備えることで、着用者Ｓにぴったりとフィットし、着用体２のずれを防止することができる。しかも、連結バンド50の基部側にゴムバンド60を縫着して弛み部61を形成することで、弛み部61が伸び切る範囲内でゴムバンド60が伸縮するため、脇腹等が連結バンド50により圧迫されずに優れたフィット感が得られるとともに、連結バンド50には常にゴムバンド60による緊張力が作用するため、サポーター１の横ずれを確実に抑えることができる。
【００１８】
以上、本発明の一実施例について詳述したが、本発明は、一実施例に限定されるものではなく、本発明の要旨の範囲内において種々の変形実施が可能である。例えば、開閉部に設けるファスナーは、実施例のスライドファスナーに限らず面ファスナーやボタンなどでもよい。また、一方及び他方の着脱手段は、実施例のホックに限らず、面ファスナー，スライドファスナー，ボタンなどでも良い。また、縁帯は生地の補強であるから、必ずしも二つ折りする必要はなく、１枚の帯をそのまま縫着などにより縁に取り付けるようにしてもよい。また、前後各シェルの形状なども前記実施例の形状に限定されるものではない。さらに、前記実施例では連結バンドにゴムバンドを縫着した例を示したが、ゴムバンドに限らず伸縮可能なものであればよい。
【００１９】
【発明の効果】
本発明の請求項１のサポーターによれば、生地として通気性に優れたメッシュ状素材からなるチョッキ型着用体と、このチョッキ型着用体の裏面側に着脱可能に取り付けられる防護部材とで構成されるサポーターであって、前記着用体の内面側に一方の着脱手段を設け、この着脱手段と係合する他方の着脱手段を前記防護部材の外面側に設け、これら各着脱手段によって装着される前記防護部材が前記着用体の裏面側に露出した状態で取り付けられ、前記防護部材は前記着用体の前面及び後面側に装着される前側防護部材と後側防護部材から成り、少なくとも前側防護部材には表裏面に貫通する通気口を設けるとともに、この通気口を表面側から裏面側に向って拡大形成し、前記前側防護部材が前記着脱手段によって前記着用体に対して上下位置調整可能に設けられ、前記防護部材が中空構造のシェルによって構成され、前記着用体が、前身頃と後身頃を肩当て部で連結して構成され、この前身頃と後身頃の両側下部を連結する着脱自在な連結バンドを設け、連結バンドに伸縮性を備えた伸縮材を添設し、この伸縮材によって前記連結バンドに弛み部を形成することによって前記連結バンドに伸縮性を持たせ、前記着用体の前面下部に着用者のベルトなどに通して固定する装着用バンドを設け、この装着用バンドは合成樹脂製の繊維を織った帯であって可撓性を有しており、その基端側を前記前身頃に設けた合成樹脂製の繊維を織った帯であって可撓性を有している基布に重ね合わせて縫着し、その重ね合わせた前記基布と前記装着用バンドの基端に前記一方の着脱手段を貫通させて加締め固定したものであるから、通気性に優れ、かつ防護部材が直接、装着者の着衣に接触するから、装着者との間に熱が篭るような空気層が形成されず、夏場などにおいて、熱による不快感を軽減することができる。また、着用体のメッシュ部分から通気口に導入された外気を効率的に着用者に向けて通気させることができ、着用体の内部に熱が篭りにくくなる。また、着用者の体形に合わせて正しい位置で防護部材を身に付けることができる。また、中空構造のシェルによって着用体の軽量化が図られるとともに、シェルへの衝撃に対する緩衝作用を向上することができる。また、着用時に肩当て部が肩に食い込むような感じがなく、楽に着用できるとともに、前身頃と後身頃とが前後に分かれているため、着用時にサポーターを被るようにして簡単に着用することができる。さらに、着用後、連結バンドで前身頃と後身頃とを連結することで、着用体の横方向のずれを抑えて優れた着用感が得られる。また、脇腹等が連結バンドにより圧迫されずに優れたフィット感が得られるとともに、伸縮材の緊張力によりサポーターの横ずれを防止することができる。また、着用体の上下方向のずれを防止することができる。
【図面の簡単な説明】
【図１】本発明の一実施例を示すサポーター前側の斜視図である。
【図２】本発明の一実施例を示すサポーター分解斜視図であり、シェルの一部を切り欠いている。
【図３】本発明の一実施例を示すサポーター後側の斜視図である。
【図４】本発明の一実施例を示す前側シェルの正面図である。
【図５】本発明の一実施例を示す前側シェルの断面図である。
【図６】本発明の一実施例を示す後側シェルの正面図である。
【図７】本発明の一実施例を示すサポーターの着用状態を示す斜視図である。
【符号の説明】
１  サポーター
２  着用体
３  メッシュ布地
４  前身頃
５  後身頃
６Ｌ，６Ｒ  肩当て部
15  前側シェル（防護部材）
16  後側シェル（防護部材）
25,28  雄ホック（他方の着脱部材）
35,36  雌ホック（一方の着脱部材）
50  連結バンド
60  ゴムバンド（伸縮材）
61  弛み部
65  装着用ベルト
Ｓ  着用者
Ｔ  ベルト
【図１】
0003555135.tif 000002
【図２】
0003555135.tif 000003
【図３】
0003555135.tif 000004
【図４】
0003555135.tif 000005
【図５】
0003555135.tif 000006
【図６】
0003555135.tif 000007
【図７】
0003555135.tif 000008